(57)【要約】【課題】  操作入力部１・映像処理部２間でファイル転送が可能な映像切り換え装置において、ファイル転送中にも操作入力部１を操作してその操作による処理をファイル転送処理と並行して実行できるようにするとともに、ファイル転送の中断等の問題の発生を防止する。【解決手段】  操作入力部１に、表示手段と、操作のためのＧＵＩ画面をこの表示手段に表示し、このＧＵＩ画面での操作に応じた処理を、ファイルの転送処理と並行して実行する処理手段であって、ＧＵＩ画面での操作を、ファイルの転送中に禁止する所定の操作と、それ以外の操作とに区別し、ファイルの転送中にはこの所定の操作による処理を実行しない処理手段とを備える。【選択図】  図１
2007060133.tif 000002
【特許請求の範囲】
【請求項１】
複数チャンネルの入力映像信号の中から映像信号を切り換えて出力する映像処理部と、操作入力部とを有し、前記操作入力部を操作して前記映像処理部を制御することが可能であるとともに、前記操作入力部と前記映像処理部との間でファイルを転送可能な映像切り換え装置において、
前記操作入力部に、
表示手段と、
操作のためのグラフィカルユーザインタフェース画面を前記表示手段に表示し、該グラフィカルユーザインタフェース画面での操作に応じた処理を、ファイルの転送処理と並行して実行する処理手段であって、前記グラフィカルユーザインタフェース画面での操作を、ファイルの転送中に禁止する所定の操作と、それ以外の操作とに区別し、ファイルの転送中には前記所定の操作による処理を実行しない処理手段と
を備えたことを特徴とする映像切り換え装置。
【請求項２】
請求項１に記載の映像切り換え装置において、
前記処理手段は、前記所定の操作のための画面を表示させる操作がファイルの転送中に行われた場合、前記所定の操作のための画面表示を行わない
ことを特徴とする映像切り換え装置。
【請求項３】
請求項１に記載の映像切り換え装置において、
前記処理手段は、前記所定の操作がファイルの転送中に行われた場合、該操作による処理を実行せず、該操作が禁止されることを通知する画面を表示する
ことを特徴とする映像切り換え装置。
【請求項４】
請求項１に記載の映像切り換え装置において、
前記処理手段は、前記所定の操作のための画面を表示させる操作がファイルの転送中に行われた場合、前記所定の操作のための画面表示を行わず、その後ファイルの転送が終了すると、前記所定の操作のための画面表示を行う
ことを特徴とする映像切り換え装置。
【請求項５】
請求項１に記載の映像切り換え装置において、
前記処理手段は、転送するファイルの種類毎に前記所定の操作を設定し、或る種類のファイルの転送中には、該ファイルについて設定した操作による処理を実行しない
ことを特徴とする映像切り換え装置。
【請求項６】
請求項１に記載の映像切り換え装置において、
前記操作入力部と前記映像処理部との間では映像切り換え装置のシステム設定のためのデータのファイルを転送可能であり、
前記所定の操作は、前記映像切り換え装置のシステム設定のための操作を含む
ことを特徴とする映像切り換え装置。
【請求項７】
請求項１に記載の映像切り換え装置において、
前記操作入力部と前記映像処理部との間では静止画データのファイルを転送可能であり、
前記所定の操作は、静止画データの転送中に前記映像処理部に別の静止画データを保存させる操作と、静止画データの転送中に前記映像処理部に保存されている静止画データのファイル名を変更する操作とのうちの少なくとも一つを含む
ことを特徴とする映像切り換え装置。
【請求項８】
請求項１に記載の映像切り換え装置において、
前記所定の操作は、前記映像切り換え装置を再起動させる操作を含む
ことを特徴とする映像切り換え装置。
【請求項９】
複数チャンネルの入力映像信号の中から映像信号を切り換えて出力する映像処理装置を制御することが可能であるとともに、前記映像処理装置との間でファイルを転送可能な操作入力装置において、
表示手段と、
操作のためのグラフィカルユーザインタフェース画面を前記表示手段に表示し、該グラフィカルユーザインタフェース画面での操作に応じた処理を、ファイルの転送処理と並行して実行する処理手段であって、前記グラフィカルユーザインタフェース画面での操作を、ファイルの転送中に禁止する所定の操作と、それ以外の操作とに区別し、ファイルの転送中には前記所定の操作による処理を実行しない処理手段と
を備えたことを特徴とする操作入力装置。
【発明の詳細な説明】
【技術分野】
【０００１】
本発明は、複数チャンネルの入力映像信号の中から映像信号を切り換えて出力する映像処理部と、この映像処理部を制御する操作入力部とを有する映像切り換え装置に関する。
【背景技術】
【０００２】
テレビジョン放送等において映像を編集するために使用される業務用の装置の一つに、映像切り換え装置（スイッチャ）が存在する。スイッチャは、複数チャンネルの入力映像信号（ビデオカメラやＶＴＲ等からの映像信号）の中から映像信号を切り換えて出力したり、切り換え時に映像信号にワイプやミックス等の効果を施す装置である。
【０００３】
このスイッチャは、一般に、映像を切り換える回路や映像に効果を施す回路を設けた映像処理部（スイッチャ本体）と、この映像処理部を制御するための操作入力部（コントロールパネル）とで構成されている。コントロールパネルとスイッチャ本体との間では、システム設定用のデータのファイルや、さらには静止画データのような比較的大きなサイズのファイルも転送される。コントロールパネル・スイッチャ本体間のデータの転送方法としては、近年はネットワーク（ＬＡＮ）を利用することが一般的になっている。
【０００４】
従来のスイッチャでは、こうしたファイルを転送している最中は、コントロールパネルがこの転送処理のために占有されてしまい、ユーザーがコントロールパネルを操作することができなくなっていた。したがって、スイッチャ本体で映像を切り換えたり映像に効果を施したりするための操作は、ファイルの転送が終了するのを待ってから行わなければならなかった。
【０００５】
他方、スイッチャに関する技術ではないが、サーバーからネットワークを利用して音声再生端末に楽曲を配信するシステムに関する技術としては、サーバーと同じネットワークに存在する（サーバーと物理ネットワークで接続されている）音声再生端末に対しては非圧縮の楽曲データのファイルを送信し、サーバーと同じネットワークに存在しない音声再生端末に対しては楽曲データをストリーム配信用の圧縮データとして送信するという技術が提案されている（例えば、特許文献１参照）。
【０００６】
【特許文献１】特開２００３−２６３１７４号公報（段落番号０１１８〜０１２８、図１，４〜６）
【発明の開示】
【発明が解決しようとする課題】
【０００７】
しかし、従来のスイッチャのようにファイル転送中に操作入力部を操作できなくなると、その間映像を編集することができなくなる。そのため、編集に費やせる時間に余裕がない場合（例えばニュース番組の映像を編集するような場合）には不便であった。
【０００８】
また、スイッチャにおいて、上記特許文献１に記載のようにデータを圧縮してコントロールパネル・スイッチャ本体間で転送したとしても、転送中にコントロールパネルを操作できないことには変りはない。
【０００９】
ここで、通常のパーソナルコンピュータにおけるファイル転送と同様に、コントロールパネル・スイッチャ本体間のファイル転送をバックグラウンドの処理として実行し、ファイル転送中でも並行してコントロールパネルを操作できるようにすることも考えられる。
【００１０】
しかし、スイッチャにおいてファイル転送中にコントロールパネルを自由に操作可能にすることには、以下に(a)〜(d)として挙げるようなスイッチャに特有の問題がある。
【００１１】
(a) コントロールパネルとスイッチャ本体とを接続するネットワークは、スイッチャの使用状況・配置状況により（レンタルの場合もあり）頻繁にアドレス設定などを変更して使用される。このため、ネットワーク設定の変更がコントロールパネルで可能となっているが、ファイル転送中にネットワーク設定を変更すると、ファイル転送が途中で中断されてしまう。コントロールパネル・スイッチャ本体間で転送するデータは種類が多く、例えばシステム設定用のデータは複数のファイルとして転送されるので、途中で中断されると、一部分の設定に関するファイルのみが転送済みとなり、整合性の取れない状態に陥ってしまう。
【００１２】
(b)スイッチャには、ＨＤＴＶ，ＳＤＴＶといった複数の映像フォーマットに対応したものも存在する。そうしたスイッチャは、１つのフォーマットから別のフォーマットに切り換えるフォーマット切り換え機能を持っている。このフォーマット切り換えを実行すると、信号処理ハードウェアをすべて再設定するために、スイッチャは動作を停止して再起動する。もしファイル転送中に再起動すると、ネットワークの接続が切断されるので、ファイル転送が途中で中断されてしまう。
【００１３】
さらに、切り換え後のフォーマットが、転送中だったデータと整合しなくなる場合もある。例えば、映像にワイプやミックス等の効果を施す場合には現在の映像フォーマットやアスペクト比（１６：９や４：３等）を考慮する必要があり、この効果を指定するデータの転送中に映像フォーマットが切り換わると、所期の効果を施せなくなる。また、静止画データの転送中に映像フォーマットが切り換わると、転送した静止画データそのものが使用できなくなる。
【００１４】
(c) 静止画データのファイルをコントロールパネルからスイッチャ本体に転送してスイッチャ本体内の画像メモリに書き込むような場合、静止画データの転送中にこの画像メモリを操作するコマンドを実行すると、不正な映像が出力されたり、画像メモリ内のデータを破壊したりすることがある。
【００１５】
(d)コントロールパネルにハードディスクを内蔵したスイッチャでは、メンテナンスのためにこのハードディスクを初期化することが可能となっているが、このハードディスクを送信元又は送信先とするファイルの転送中に初期化を行うと、ファイルを正しく転送することができなくなる。
【００１６】
本発明は、上述の点に鑑み、コントロールパネル（操作入力部）・スイッチャ本体（映像処理部）間ででファイル転送が可能なスイッチャ（映像切り換え装置）において、ファイル転送中にも操作入力部を操作してその操作による処理をファイル転送処理と並行して実行できるようににするとともに、上記(a)〜(d)として挙げたようなファイル転送の中断等の問題の発生を防止することを課題としてなされたものである。
【課題を解決するための手段】
【００１７】
上記課題を解決するために、本発明に係る映像切り換え装置は、複数チャンネルの入力映像信号の中から映像信号を切り換えて出力する映像処理部と、操作入力部とを有し、この操作入力部を操作してこの映像処理部を制御することが可能であるとともに、この操作入力部とこの映像処理部との間でファイルを転送可能な映像切り換え装置において、この操作入力部に、表示手段と、操作のためのＧＵＩ（グラフィカルユーザインタフェース）画面をこの表示手段に表示し、このＧＵＩ画面での操作に応じた処理を、ファイルの転送処理と並行して実行する処理手段であって、このＧＵＩ画面での操作を、ファイルの転送中に禁止する所定の操作と、それ以外の操作とに区別し、ファイルの転送中にはこの所定の操作による処理を実行しない処理手段とを備えたことを特徴とする。
【００１８】
この映像切り換え装置では、操作のためのＧＵＩ画面が表示手段に表示されるが、このＧＵＩ画面での操作が、ファイルの転送中に禁止する所定の操作とそれ以外の操作とに区別されている。そして、ファイルの転送中には、この禁止される操作による処理は実行されず、それ以外の操作による処理のみがファイル転送処理と並行して実行される。
【００１９】
これにより、ファイル転送中にも操作入力部を操作してその操作による処理をファイル転送処理と並行して実行できるとともに、ファイル転送の中断等の問題を発生させる操作を禁止して、そうした問題の発生を防止することができる。
【００２０】
次に、本発明に係る操作入力装置は、複数チャンネルの入力映像信号の中から映像信号を切り換えて出力する映像処理装置を制御することが可能であるとともに、この映像処理装置との間でファイルを転送可能な操作入力装置において、表示手段と、操作のためのＧＵＩ画面をこの表示手段に表示し、このＧＵＩ画面での操作に応じた処理を、ファイルの転送処理と並行して実行する処理手段であって、このＧＵＩ画面での操作を、ファイルの転送中に禁止する所定の操作と、それ以外の操作とに区別し、ファイルの転送中にはこの所定の操作による処理を実行しない処理手段とを備えたことを特徴とする。
【００２１】
この操作入力装置は、前述の本発明に係る映像切り換え装置における操作入力部に該当するものであり、ファイル転送中にも操作入力装置を操作してその操作による処理をファイル転送処理と並行して実行することができるとともに、ファイル転送の中断等の問題が発生することを防止できる。
【発明の効果】
【００２２】
本発明によれば、ファイル転送中にも操作入力部を操作してその操作による処理をファイル転送処理と並行して実行させることができるとともに、ファイル転送の中断等の問題が発生することを防止できるという効果が得られる。
【発明を実施するための最良の形態】
【００２３】
以下、本発明を図面を用いて具体的に説明する。図１は、本発明を適用したスイッチャの全体構成を示す図である。このスイッチャは、コントロールパネル１と、スイッチャ本体２とで構成されている。コントロールパネル１とスイッチャ本体２とは、ネットワーク（ＬＡＮ）３で接続されている。
【００２４】
スイッチャ本体２には、複数台のＶＴＲ４や、図示しないビデオカメラ等から複数チャンネルの映像信号が入力される。スイッチャ本体２からは複数チャンネルの映像信号が出力され、モニター５や、図示しない番組送出用の機器や映像記録装置等に送られる。
【００２５】
図２は、スイッチャ本体２の構成の概要を示す図である。スイッチャ本体２には、制御部４０と、画像加工部４１と、フレームメモリ４７とが設けられている。（画像加工部４１はスイッチャ本体２の出力チャンネル数分設けられているが、スイッチャ本体２の構成は本発明とは直接関係しないので、図では１つの画像加工部４１のみを描いている。）画像加工部４１には、入力選択部４２と、合成処理部４５と、キー処理部４６とが設けられている。
【００２６】
入力選択部４２は、入力バス４３ａ，４３ｂをそれぞれ入力ライン４４ａ〜４４ｈ（図１のＶＴＲ４やビデオカメラ等からの映像信号が入力されるライン）のうちのいずれかに接続するマトリクス状のスイッチ群を有しており、入力バス４３ａ，４３ｂでそれぞれいずれか１つの入力ラインからの入力信号を選択できる。入力選択部４２で選択された映像信号は、合成処理部４５に供給される。
【００２７】
合成処理部４５は、入力選択部４２で選択された映像信号に、ワイプやミックス等の効果を施す回路である。合成処理部４５から出力された映像信号は、キー処理部４６に供給される。
【００２８】
キー処理部４６は、合成処理部４５の出力映像信号に、フレームメモリ４７から読み出したロゴ等の静止画データ（キー信号）を合成する回路である。キー処理部４６から出力された映像信号は、スイッチャ本体２の外部に出力され、図１のモニター５等に送られる。
【００２９】
制御部４０は、マイクロコンピュータやネットワーク用の通信インタフェースを用いて構成されており、ＬＡＮ３経由で図１のコントロールパネル１との間で通信を行ったり、画像加工部４１やフレームメモリ４７を制御する。
【００３０】
フレームメモリ４７には、制御部４０がコントロールパネル１から受信した静止画データが保存されるとともに、合成処理部４５の出力映像信号を静止画データとしてキャプチャして保存することも可能になっている。
【００３１】
図１のコントロールパネル１は、スイッチャのシステム設定や、スイッチャ本体２の制御等を行うためのパネルである。図３は、コントロールパネル１の構成を示す図である。コントロールパネル１には、制御部１１と、表示デバイスとして液晶ディスプレイを用いたタッチパネル１２と、ハードディスクドライブ（ＨＤＤ）１３と、ＵＳＢスロット１４とが設けられている。
【００３２】
制御部１１は、マイクロコンピュータやネットワーク用の通信インタフェースを用いて構成されており、各種の操作を行うためのＧＵＩ（グラフィカルユーザインタフェース）画面をタッチパネル１２に表示するためのプログラム（以下、ＧＵＩプログラムと呼ぶ）と、このＧＵＩプログラムから通知された操作内容に応じた処理を実行するためのプログラム（以下、処理実行プログラムと呼ぶ）とがインストールされている。
【００３３】
ＧＵＩプログラムによってタッチパネル１２に表示されるＧＵＩ画面には、次の(1)〜(5)のような画面が含まれている。
(1)ファイルメニュー画面
(2)システム設定操作画面
(3)フレームメモリ操作画面
【００３４】
(4)スイッチャを再起動（Reboot）させる釦や、スイッチャの再起動を伴う操作である電源オフ（Shutdown），プログラムのインストール，タッチパネル１２の原点位置の調整等を行うための釦が設けられた各種の画面（以下、これらの釦を再起動操作釦と総称し、これらの画面をシステム再起動操作画面と総称する）
【００３５】
(5)スイッチャ本体２内の入力選択部４２で映像信号を選択したり、スイッチャ本体２内の合成処理部４５で映像信号に施す効果の種類を指定するための映像処理操作画面
【００３６】
このうち、上記(1)のファイルメニュー画面は、次の(1-1)〜（1-6）のようなデータのファイルを、コントロールパネル１からスイッチャ本体２に転送して制御部４０内のメモリ（但し(1-6)の静止画データはフレームメモリ４７）に保存する操作（ロードと呼ぶ）や、スイッチャ本体２からコントロールパネル１に転送してコントロールパネル１内のハードディスク１３（あるいはＵＳＢスロット１４に装着されたメモリカード）に保存する操作（セーブと呼ぶ）を行うためのＧＵＩ画面である。
【００３７】
(1-1)スイッチャのシステム設定（コントロールパネル１やスイッチャ本体２やＶＴＲ４や図示しない３次元効果用のＤＭＥプロセッサ等を相互に接続して動作させたり、各機器間の主従関係を指定するための各種の設定）を行うためのデータ
【００３８】
(1-2)コントロールパネル１やスイッチャ本体２の過去の時点の設定状態を示すデータであるスナップショット（現在の設定状態を過去の時点の設定状態に復帰させるために用いられる）
【００３９】
(1-3)或る瞬間の画像の状態を示すデータであるキーフレームを、時間軸上に並べたデータであるエフェクト（それぞれのキーフレーム間を内挿処理することにより、キーフレームとキーフレームの間で画像の状態が連続的に変化するエフェクトを施すために用いられる）
【００４０】
(1-4)スイッチャ本体２で映像信号に複数段のエフェクトを施す場合に、任意の段階でのスナップショットやエフェクトを呼び出すためのデータであるショットボックス
【００４１】
(1-5)過去に行った一連の操作の手順を示すデータであるマクロ（過去に行った一連の操作による処理を簡単な操作によって再現するために用いられる）
【００４２】
(1-6)スイッチャ本体２内のフレームメモリ４７に保存させてキー処理部４６において映像信号に合成するためのロゴ等の静止画データ（以下、フレームメモリデータとも呼ぶ）
【００４３】
上記(2)のシステム設定操作画面には、次の(2-1)〜（2-10）のような操作を行うための釦が含まれている。
【００４４】
(2-1) ネットワークの設定（ＬＡＮ３に接続されている全ての機器の自動認証に関する設定）
(2-2)スイッチャのシステム設定（コントロールパネル１やスイッチャ本体２やＶＴＲ４やＤＭＥプロセッサ等を相互に接続して動作させたり、各機器間の主従関係を指定するための各種の設定）
【００４５】
(2-3) ＨＤＴＶ，ＳＤＴＶといった映像フォーマットの設定
(2-4) 各機器の電源投入後の初期状態の設定
(2-5) システムのリセットとメモリの初期化
(2-6) プログラムのインストール
【００４６】
(2-7) ＵＳＢスロット１４に装着されたメモリカードの初期化
(2-8) ＵＳＢスロット１４用のドライバーの再ロード
(2-9) ＨＤＤ１３内のハードディスクの初期化
(2-10) システム設定の変更の禁止や、この禁止の解除
【００４７】
上記(3)のフレームメモリ操作画面には、次の(3-1)〜(3-4)のような操作を行うための釦が含まれている。
【００４８】
(3-1)スイッチャ本体２内で、合成処理部４５の出力映像信号をフレームメモリ４７に静止画データとして保存する操作（ストアと呼ぶ）
(3-2)ストアを連続させる操作（レコードと呼ぶ）
(3-3)ストアした静止画データのファイル名の変更（リネームと呼ぶ）
【００４９】
(3-4)ストアした静止画データをコントロールパネル１に転送してハードディスク１３（あるいはＵＳＢスロット１４に装着されたメモリカード）に保存する操作（バックアップと呼ぶ）
(3-5)バックアップした静止画データをスイッチャ本体２に転送してフレームメモリ４７に再度保存する操作（リストアと呼ぶ）
【００５０】
前述の処理実行プログラムは、次の２つのプログラムで構成されている。
・ＧＵＩプログラムから通知された上記(1)のファイルメニュー画面での操作内容に従い、スイッチャ本体２内の制御部４０との間でＬＡＮ３経由でのファイル転送をバックグラウンドの処理として実行するプログラム
・ＧＵＩプログラムから通知されたファイルメニュー画面以外のＧＵＩ画面での操作内容に従った処理を、ファイル転送処理と並行して実行するプログラム
なお、このようにファイル転送をバックグラウンドの処理として実行するためのプログラムの構成は、通常のパーソナルコンピュータにおけるのと同様であってよい。
【００５１】
次に、ＧＵＩプログラムによる処理について説明する。図４は、上記(1)のファイルメニュー画面でなんらかのファイルの転送（ロードまたはセーブ）を開始する操作が行われた場合の処理である。
【００５２】
この処理では、最初に、転送対象のファイルに、上記(1-1)のシステム設定のためのデータのファイルが含まれているか否かを判断する（ステップＳ１）。イエスであれば、「システム設定データファイル転送中フラグ」をオンにする（ステップＳ２）。そしてステップＳ３に進む。ステップＳ１でノーであれば、そのままステップＳ３にジャンプする。
【００５３】
ステップＳ３では、転送対象のファイルに、上記(1-6)の静止画データ（フレームメモリデータ）のファイルが含まれているか否かを判断する。イエスであれば、「フレームメモリデータファイル転送中フラグ」をオンにする（ステップＳ４）。そしてステップＳ５に進む。ステップＳ３でノーであれば、そのままステップＳ５にジャンプする。
【００５４】
ステップＳ５では、転送対象のファイルに、その他のデータのファイル（上記(1-2)〜(1-5）のうちのいずれかのデータのファイル）が含まれているか否かを判断する。イエスであれば、「その他データファイル転送中フラグ」をオンにする（ステップＳ６）。そして処理を終了する。ステップＳ５でノーであれば、そのまま処理を終了する。
【００５５】
図５は、上記(2)のシステム設定操作画面を表示させる操作が行われた場合の処理である。この処理では、最初に、上記「システム設定データファイル転送中フラグ」がオンであるか否かを判断する（ステップＳ１１）。
【００５６】
イエスであれば、「システム設定操作禁止画面」を表示する（ステップＳ１２）。そして、「システム設定操作禁止画面表示中フラグ」をオンにして（ステップＳ１３）、処理を終了する。
【００５７】
ステップＳ１１でノーであれば、操作に従ってシステム設定操作画面を表示して（ステップＳ１４）、処理を終了する。
【００５８】
図９は、この図５のステップＳ１４で表示するシステム設定操作画面の一例を示す図である。また、図１０は、この図５のステップＳ１２で表示する「システム設定操作禁止画面」の一例を示す図である。図１０に示すように、「システム設定操作禁止画面」では、システム設定操作画面そのものが非表示となり、システム設定操作画面でのメニュー操作が禁止される旨のメッセージが表示される。
【００５９】
図６は、上記(3)のフレームメモリ操作画面（上記(3-1)〜（3-5）のうちのいずれかの操作のための釦を含むもの）を表示させる操作が行われた場合の処理である。この処理では、最初に、上記「フレームメモリデータファイル転送中フラグ」がオンであるか否かを判断する（ステップＳ２１）。
【００６０】
イエスであれば、「フレームメモリ操作禁止画面」を表示する（ステップＳ２２）。そして、「フレームメモリ操作禁止画面表示中フラグ」をオンにして（ステップＳ２３）、処理を終了する。
【００６１】
ステップＳ２１でノーであれば、操作に従ってフレームメモリ操作画面を表示して（ステップＳ２４）、処理を終了する。
【００６２】
図１１は、この図６のステップＳ２４で表示するフレームメモリ操作画面の一例を示す図である。また、図１２は、この図６のステップＳ２２で表示する「フレームメモリ操作禁止画面」の一例を示す図である。図１２に示すように、「フレームメモリ操作禁止画面」では、フレームメモリ操作画面そのものは表示されるが、上記(3-1)の操作（ストア）のための釦である“Store”釦２１がグレー表示され（図ではグレー表示の状態をハッチングで描いている）、“Store”釦２１を操作できないようになっている。
【００６３】
なお、図１１にはフレームメモリ操作画面のうち上記(3-2)〜（3-5）の操作（レコード，リネーム，バックアップ，リストア）のための釦を含まない画面を示しているが、これらの釦を含むフレームメモリ操作画面についても、「フレームメモリデータファイル転送中フラグ」がオンであるときには、これらの釦がグレー表示（操作不可能）にされた「フレームメモリ操作禁止画面」が表示される。
【００６４】
図７は、上記(4)のシステム再起動操作画面で再起動操作釦が操作された場合の処理である。この処理では、最初に、上記「システム設定データファイル転送中フラグ」，「フレームメモリデータファイル転送中フラグ」，「その他データファイル転送中フラグ」のうちの少なくとも１つのフラグがオンであるか否かを判断する（ステップＳ３１，Ｓ３２，Ｓ３３）。
【００６５】
イエスであれば、再起動操作釦が操作されたという操作内容を処理実行プログラムに通知することなく、「システム再起動操作禁止画面」を表示する（ステップＳ３４）。そして、「システム再起動操作禁止画面表示中フラグ」をオンにして（ステップＳ３５）、処理を終了する。
【００６６】
他方、これらの３つのフラグが全てオフであれば、再起動操作釦が操作されたという操作内容を処理実行プログラムに通知して（ステップＳ３６）、処理を終了する。
【００６７】
図１３は、図７のステップＳ３４で表示する「システム再起動操作禁止画面」の一例を示す図である。再起動操作釦の操作が禁止される旨のポップアップ画面が表示される。
【００６８】
なお、上記(1)のファイルメニュー画面以外のＧＵＩ画面のうち、図５〜図７で説明した画面を除くＧＵＩ画面（上記 (5)の映像処理操作画面等）を表示させる操作が行われた場合には、ＧＵＩプログラムにより、図５〜図７のようなフラグの判断を行うことなく無条件にそのＧＵＩ画面が表示される。
【００６９】
図８は、上記(1)のファイルメニュー画面でファイルの転送を開始する操作が行われた後、処理実行プログラムからファイルの転送終了の通知を受信した場合の処理である。この処理では、最初に、「システム設定データファイル転送中フラグ」がオンであるか否かを判断する（ステップＳ４１）。
【００７０】
イエスであれば、「システム設定データファイル転送中フラグ」をオフにする（ステップＳ４２）。そして、「システム設定操作禁止画面表示中フラグ」がオンであるか否かを判断する（ステップＳ４３）。
【００７１】
イエスであれば、上記(2)のシステム設定操作画面（図９参照）を表示し（ステップＳ４４）、「システム設定操作禁止画面表示中フラグ」をオフにして（ステップＳ４５）、処理を終了する。
【００７２】
ステップＳ４１またはステップＳ４３でノーであった場合には、ステップＳ４６に進み、「フレームメモリデータファイル転送中フラグ」がオンであるか否かを判断する。
【００７３】
イエスであれば、「フレームメモリデータファイル転送中フラグ」をオフにする（ステップＳ４７）。そして、「フレームメモリ操作禁止画面表示中フラグ」がオンであるか否かを判断する（ステップＳ４８）。
【００７４】
イエスであれば、上記(3)のフレームメモリ操作画面（図１１参照）を表示し（ステップＳ４９）、「フレームメモリ操作禁止画面表示中フラグ」をオフにして（ステップＳ５０）、処理を終了する。
【００７５】
ステップＳ４６でノーであった場合には、ステップＳ５１に進み、「その他データファイル転送中フラグ」がオンであるか否かを判断する。
【００７６】
イエスであれば、「その他データファイル転送中フラグ」をオフにする（ステップＳ５２）。そして、「システム再起動操作禁止画面表示中フラグ」がオンであるか否かを判断する（ステップＳ５３）。
【００７７】
イエスであれば、上記(4)のシステム再起動操作画面のうち前出の図７の処理で「システム再起動操作禁止画面表示中フラグ」をオンにした際に選択されていた画面を表示し（ステップＳ５４）、「システム再起動操作禁止画面表示中フラグ」をオフにして（ステップＳ５５）、処理を終了する。ステップＳ５１でノーであった場合には、そのまま処理を終了する。
【００７８】
次に、ユーザーがこのスイッチャのコントロールパネル１を操作する様子について説明する。ユーザーが、コントロールパネル１のタッチパネル１２に上記(1)のファイルメニュー画面を表示させていずれかのファイルの転送を開始する操作を行った後、例えば上記(5)の映像処理操作画面をタッチパネル１２に表示させる操作を行うと、この映像処理操作画面が無条件に表示される。
【００７９】
そして、ファイル転送処理と並行して、この映像処理操作画面での操作に応じたコマンドがコントロールパネル１からＬＡＮ３経由でスイッチャ本体２に送信されて、入力選択部４２で映像信号が選択されたり、合成処理部４５で映像信号にワイプ，ミックス等の効果が施される。
【００８０】
他方、ユーザーが、ファイルメニュー画面を表示させて上記(1-1)のシステム設定データのファイルの転送を開始する操作を行った後、上記(2)のシステム設定操作画面をタッチパネル１２に表示させる操作を行うと、図４の処理のステップＳ１，Ｓ２で「システム設定データファイル転送中フラグ」がオンにされるので、図５の処理のステップＳ１１，Ｓ１２により、そのシステム設定操作画面は表示されず、「システム設定操作禁止画面」（図１０）が表示される。
【００８１】
したがって、ユーザーは、システム設定データファイルの転送中には、上記(2-1)〜（2-10）のいずれの操作も行うことができない。これらの操作は、ネットワークの設定を変更したり、スイッチャのシステム設定を変更したり、スイッチャの再起動を伴ったり、ハードディスクを初期化することにより、ファイル転送を中断させたり、データの破壊を招く可能性のある操作である。システム設定データファイルの転送中にこうした操作を行えないようにすることにより、システム設定データファイルの転送の中断やシステム設定データの破壊といった問題が発生することが防止される。
【００８２】
また、ユーザーが、ファイルメニュー画面を表示させて上記(1-6)のロゴ等の静止画データのファイルの転送を開始する操作を行った後、上記(3)のフレームメモリ操作画面（上記(3-1)〜(3-5)のうちのいずれかの操作のための釦を含むもの）をタッチパネル１２に表示させる操作を行うと、図４の処理のステップＳ３，Ｓ４で「フレームメモリデータファイル転送中フラグ」がオンにされるので、図６の処理のステップＳ２１，Ｓ２２により、「フレームメモリ操作禁止画面」（図１２参照）が表示される。
【００８３】
したがって、ユーザーは、静止画データファイルの転送中には、上記(3-1)〜(3-5)の操作のいずれも行うことができない。これらの操作は、コントロールパネル１からスイッチャ本体２に静止画データファイルを転送してフレームメモリ４７に保存（ロード）している最中に、合成処理部４５の出力映像信号からキャプチャした別の静止画データの保存（ストア）や読出しをフレームメモリ４７に対して行ったり、その別のデータのファイル名を変更するものであり、例えばこの２つの静止画データのファイル名が同じであった場合には、コントロールパネル１から転送した静止画データがスイッチャ本体２側に正しく保存されなくなる。静止画データファイルの転送中にこうした操作を行えなくすることにより、転送した静止画データがスイッチャ本体２側に正しく保存されなくなるといった問題が発生することが防止される。
【００８４】
また、ユーザーが、ファイルメニュー画面を表示させていずれかのファイルの転送を開始する操作を行った後、上記(4)のシステム再起動操作画面で再起動操作釦を操作すると、図４の処理のステップＳ１，Ｓ２かステップＳ３，Ｓ４かステップＳ５，Ｓ６かのいずれかでフラグがオンにされるので、図７の処理のステップＳ３１〜Ｓ３４により、その操作内容は処理実行プログラムに通知されず、「システム再起動操作禁止画面」（図１３）が表示される。
【００８５】
したがって、いずれかのファイルの転送中には、スイッチャの再起動を伴う処理が実行されない。これにより、ファイルの転送中に、転送の中断やデータの破壊といった問題が発生することが防止される。
【００８６】
また、上述のようにしてファイル転送中に「システム設定操作禁止画面」（図１０）や「フレームメモリ操作禁止画面」（図１２）や「システム再起動操作禁止画面」（図１３）が表示された後、ファイル転送が終了すると、本来のシステム設定操作画面（図９）が表示されたり（図８のステップＳ４４）、本来のフレームメモリ操作画面（図１１）が表示されたり（図８のステップＳ４９）、本来のシステム再起動操作画面が表示される（図８のステップＳ５４）。
【００８７】
したがって、ファイル転送が終了すると、直ちに、通常通りシステム設定操作画面を操作してシステム設定に関する処理を実行させることや、通常通りフレームメモリ操作画面を操作して静止画データに関する処理を実行させることや、通常通りシステム再起動操作画面を操作してスイッチャを再起動させたりスイッチャの再起動を伴う処理を実行させることができる。
【００８８】
このように、このスイッチャでは、ファイル転送中にも、コントロールパネル１を操作してスイッチャ本体２で映像を切り換えたりワイプ，ミックス等の効果を施すことができるとともに、ファイル転送の中断やデータの破壊等の問題が発生することが防止される。
【００８９】
これにより、例えば編集に費やせる時間に余裕がない場合（ニュース番組の映像を編集するような場合）であって、時間のかかるファイル転送を行う必要がある場合（多量のファイルを転送するような場合）にも、短時間で編集を完了することが可能になる。
【００９０】
なお、以上の例では、「システム設定操作禁止画面」ではシステム設定操作画面そのものを非表示とし（図９，図１０）、「フレームメモリ操作禁止画面」ではフレームメモリ操作画面のうち操作を禁止する釦をグレー表示し（図１１，図１２）、「システム再起動操作禁止画面」は再起動操作釦が操作された後にポップアップ画面として表示している（図１３）。しかし、これに限らず、「システム設定操作禁止画面」を「フレームメモリ操作禁止画面」または「システム再起動操作禁止画面」のような態様で表示したり、「フレームメモリ操作禁止画面」を「システム設定操作禁止画面」または「システム再起動操作禁止画面」のような態様で表示したり、「システム再起動操作禁止画面」を「システム設定操作禁止画面」または「フレームメモリ操作禁止画面」のような態様で表示してもよい。
【００９１】
また、以上の例では、図５に示したように、システム設定操作画面を表示させる操作が行われたときには、「システム設定データファイル転送中フラグ」がオンである場合にのみ「システム設定操作禁止画面」を表示している。しかし、別の例として、「システム再起動操作禁止画面」を表示する場合（図７）と同様に、「システム設定データファイル転送中フラグ」，「フレームメモリデータファイル転送中フラグ」，「その他データファイル転送中フラグ」のうちの少なくとも１つのフラグがオンである場合に「システム設定操作禁止画面」を表示するようにしてもよい。
【図面の簡単な説明】
【００９２】
【図１】本発明を適用したスイッチャの全体構成を示す図である。
【図２】スイッチャ本体の構成の概要を示す図である。
【図３】コントロールパネルの構成を示す図である。
【図４】ファイル転送開始時のＧＵＩプログラムによる処理を示すフローチャートである。
【図５】システム設定操作画面を表示する操作が行われたときのＧＵＩプログラムによる処理を示すフローチャートである。
【図６】フレームメモリ操作画面を表示する操作が行われたときのＧＵＩプログラムによる処理を示すフローチャートである。
【図７】システム再起動操作画面で再起動操作釦が操作されたときのＧＵＩプログラムによる処理を示すフローチャートである。
【図８】ファイル転送終了通知受信時のＧＵＩプログラムによる処理を示すフローチャートである。
【図９】システム設定操作画面の一例を示す図である。
【図１０】システム設定操作禁止画面の一例を示す図である。
【図１１】フレームメモリ操作画面の一例を示す図である。
【図１２】フレームメモリ操作禁止画面の一例を示す図である。
【図１３】システム再起動操作禁止画面の一例を示す図である。
【符号の説明】
【００９３】
１  コントロールパネル、  ２  スイッチャ本体、  ３  ネットワーク（ＬＡＮ）、  １１  制御部、  １２  タッチパネル、  １３  ハードディスクドライブ  、１４  ＵＳＢスロット、  ４０  制御部、  ４１  画像加工部、  ４７  フレームメモリ
【図１】
2007060133.tif 000003
【図２】
2007060133.tif 000004
【図３】
2007060133.tif 000005
【図４】
2007060133.tif 000006
【図５】
2007060133.tif 000007
【図６】
2007060133.tif 000008
【図７】
2007060133.tif 000009
【図８】
2007060133.tif 000010
【図９】
2007060133.tif 000011
【図１０】
2007060133.tif 000012
【図１１】
2007060133.tif 000013
【図１２】
2007060133.tif 000014
【図１３】
2007060133.tif 000015